(57)【要約】【課題】照光面の周辺部に導光される入射光の該周辺部の所定位置における光量を調整することができる電気部品の照光構造を提供する。【解決手段】導光板１０１の裏面のほぼ中央に入射されて肉薄部１０３の方向に導光された入射光の一部は、導光板１０１内の肉薄部１０３との境界部分に形成される段差１０４により肉薄部１０３から離れる方向に全反射されるので、導光板１０１の肉薄部１０３の方向に導光される入射光の光量が減少する。したがって、導光板１０１のほぼ中央と周辺部との間の所定位置に肉薄部１０３が形成されることにより、導光板１０１のほぼ中央から肉薄部１０３が形成された方向に導光される入射光の光量が減少するので、照光面の周辺部に導光される入射光の該周辺部の所定位置における光量を調整することができる。【選択図】図９
2014175159.tif 000002
【特許請求の範囲】
【請求項１】
透光性を有する部材により形成され、その一方面側に照光面が設けられ、その他方面側に配置される光源から該他方面のほぼ中央に入射される入射光をその側方の周辺部に導光する導光板を備え、
前記導光板の中央と前記周辺部との間の所定位置に肉薄部が形成されている
ことを特徴とする電気部品の照光構造。
【請求項２】
前記導光板は平面視矩形状を有し、前記導光板の矩形の各辺に対向する位置のそれぞれに前記肉薄部が設けられていることを特徴とする請求項１に記載の電気部品の照光構造。
【請求項３】
非透光性の部材により形成されその裏面に反射面が設けられた遮光部材が、前記導光板の前記一方面の周縁部を除く位置に配設されていることを特徴とする請求項１または２に記載の電気部品の照光構造。
【請求項４】
前記導光板の他方面のほぼ中央に凹部が設けられ、前記凹部の内側面に、前記光源からの入射光を前記周辺部に集光するレンズが形成されていることを特徴とする請求項１ないし３のいずれかに記載の電気部品の照光構造。
【請求項５】
請求項４に記載の照光構造を備える押ボタンスイッチにおいて、
前記導光板の前記一方面側に配置された押ボタンと、
前記導光板の前記他方面側に配置された前記光源とを備え、
前記押ボタンおよび前記導光板は、第１の位置と、前記第１の位置よりも前記光源に近い位置である第２の位置との間で一体的に移動可能に設けられ、
前記レンズは、前記押ボタンおよび前記導光板が前記第１の位置に配置されている状態で、前記光源からの入射光が前記周辺部に集光されるように形成されている
ことを特徴とする押ボタンスイッチ。
【発明の詳細な説明】
【技術分野】
【０００１】
この発明は、電気部品の照光面に光源の光を導光する照光構造およびこれを備える押ボタンスイッチに関する。
【背景技術】
【０００２】
従来、押ボタンの下方に配置されたＬＥＤ等の光源の光を押ボタン上面に設けられた照光面に導光する照光構造を備える押ボタンスイッチが提供されている（例えば特許文献１参照）。特許文献１に開示されている押ボタンスイッチは、透光性を有する樹脂の成型加工によって形成され、スイッチをオンオフ操作する押ボタンと、押ボタンの下方に配置され押ボタンの下面を照らすことで押ボタンを通してその上面（照光面）を照光する光源とを備えている。また、押ボタンの上面には、押ボタンの上面中央を覆うように不透光性の遮光部材が設けられている。
【０００３】
また、押ボタン上面の遮光部材によって覆われている部分のほぼ中央に逆円錐状の凹部が形成されている。そして、光源から押ボタン下面のほぼ中央に入射される入射光は、逆円錐状の凹部の傾斜面により形成される中央光反射面により反射されて、押ボタン側方の周辺部に導光される。また、押ボタンの外周側面には外周光反射面が設けられており、中央光反射面で押ボタンの側方に向けて反射された反射光は外周光反射面により上方に反射されて、遮光部材によって覆われていない押ボタンの上面外周に導光される。
【先行技術文献】
【特許文献】
【０００４】
【特許文献１】特開２００５−２９３８８７号公報（段落００１７，００１８、図３、要約書など）
【発明の概要】
【発明が解決しようとする課題】
【０００５】
上記した照光構造では、押ボタン上面のほぼ中央に設けられた逆円錐状の凹部の内側面により中央反射面が形成されている。したがって、光源から押ボタン下面のほぼ中央に入射される入射光は、逆円錐状の凹部の横断面の全周方向に渡って均一に押ボタン側方の周辺部に導光される。ところが、押ボタン側方の周辺部に導光される反射光の光量をその外周方向において変化させたい場合がある。
【０００６】
また、ＬＥＤ等により形成される光源から照射される光は一般的に指向性を有している。したがって、押ボタン下面のほぼ中央に入射される光源からの指向性を有する入射光が中央光反射面により押ボタン側方の周辺部に向けて反射された場合に、押ボタン側方の周辺部に導光された反射光の光量が押ボタンの外周方向において設計者の意に反して変化することによる明暗が生じる場合がある。
【０００７】
また、押ボタンが平面視矩形状を有する場合に、次のような問題が生じるおそれがある。すなわち、中央光反射面が設けられた押ボタンのほぼ中央から、外周光反射面が設けられた押ボタンの外周側面までの距離が押ボタンの外周方向において異なるので、中央光反射面から外周光反射面までの光路長は押ボタンの外周方向において変化する。そのため、例えば、押ボタンの各隅部においては、中央光反射面から外周光反射面までの光路長がその他の位置における光路長よりも長くなる。したがって、中央光反射面により押ボタンの各隅部に向けて反射された反射光が外周光反射面に到達するまでの光路長が、その他の位置に向けて反射された反射光の光路長よりも長いのでその光量の減衰量が大きく、押ボタンの各隅部における明るさがその他の位置に比べると暗くなり、押ボタンの外周部分において色むらが生じるという問題がある。
【０００８】
また、押ボタンが押し込まれた場合に、次のような問題が生じるおそれがある。すなわち、押ボタンが押し込まれると光源と押ボタンとの距離が近くなるので、押ボタンが押し込まれていない場合と比較すると、押ボタン上面の照光面の光量が増大する。したがって、押ボタンが押し込まれていない状態と、押ボタンが押し込まれている状態との間で、押ボタン上面の照光面の明るさが変化するという問題がある。
【０００９】
本発明は、上記課題に鑑みてなされたものであり、照光面の周辺部に導光される入射光の該周辺部の所定位置における光量を調整することができる電気部品の照光構造を提供することを第１の目的とする。
【００１０】
また、押ボタンが押し込まれていない状態と、押ボタンが押し込まれている状態との間で、照光面の明るさが変化するのを抑制することができる照光構造を備える押ボタンスイッチを提供することを第２の目的とする。
【課題を解決するための手段】
【００１１】
上記した第１の目的を達成するために、本発明にかかる電気部品の照光構造は、透光性を有する部材により形成され、その一方面側に照光面が設けられ、その他方面側に配置される光源から該他方面のほぼ中央に入射される入射光をその側方の周辺部に導光する導光板を備え、前記導光板の中央と前記周辺部との間の所定位置に肉薄部が形成されていることを特徴としている（請求項１）。
【００１２】
このように構成された発明では、導光板の一方面側に照光面が設けられ、導光板の他方面のほぼ中央に光源から入射される入射光が、導光板内で全反射を繰り返すことにより導光板側方の周辺部に導光されるが、光源からの光が入射される導光板のほぼ中央と周辺部との間の所定位置に肉薄部が形成されている。そのため、導光板の他方面のほぼ中央に入射されて肉薄部の方向に導光された入射光の一部は、導光板内の肉薄部との境界部分に形成される段差により肉薄部から離れる方向に全反射されるので、導光板の肉薄部の方向に導光される入射光の光量が減少する。したがって、導光板のほぼ中央と周辺部との間の所定位置に肉薄部が形成されることにより、導光板のほぼ中央から肉薄部が形成された方向に導光される入射光の光量が減少するので、照光面の周辺部に導光される入射光の該周辺部の所定位置における光量を調整することができる。
【００１３】
また、前記導光板は平面視矩形状を有し、前記導光板の矩形の各辺に対向する位置のそれぞれに前記肉薄部が設けられていてもよい（請求項２）。
【００１４】
このように構成すると、光源からの光が入射される導光板の他方面のほぼ中央からの距離が短い導光板の矩形の各辺に対向する位置のそれぞれに肉薄部が設けられている。そのため、導光板側方の周辺部のうち、光源からの距離が短い導光板の矩形の各辺近傍における光量が減少する。また、導光板内の各肉薄部との境界部分に形成される各段差により、各肉薄部それぞれに向かって導光される入射光の一部が、導光板の各肉薄部間に位置する矩形の各隅部に向けて全反射されるので、導光板側方の周辺部のうち、光源からの距離が長い各隅部における光量が増大する。したがって、導光板が平面視矩形状を有し、光源からの光が入射される導光板の他方面のほぼ中央から周辺部への距離が導光板の外周方向において異なる場合であっても、周辺部に明暗が生じるのを軽減することができる。
【００１５】
また、非透光性の部材により形成されその裏面に反射面が設けられた遮光部材が、前記導光板の前記一方面の周縁部を除く位置に配設されていてもよい（請求項３）。
【００１６】
このように構成すれば、導光板の一方面の周縁部を除く位置に遮光部材が配設されているので、導光板の他方面のほぼ中央に入射されて導光板側方の周辺部に導光された入射光により、導光板の一方面側に設けられた照光面の外周部分をリング状に照光することができる。また、遮光部材の裏面に反射面が設けられているので、導光板の一方面において入射光が確実に全反射されて導光板の周辺部に導光される入射光の光量が増大し、入射光を導光板側方の周辺部に確実に導光することができる。
【００１７】
また、前記導光板の他方面のほぼ中央に凹部が設けられ、前記凹部の内側面に、前記光源からの入射光を前記周辺部に集光するレンズが形成されているとよい（請求項４）。
【００１８】
このようにすると、導光板の他方面のほぼ中央に設けられた凹部の内側面に設けられたレンズにより、光源からの入射光を周辺部に効率よく集光することができる。
【００１９】
また、上記した第２の目的を達成するために、本発明の押ボタンスイッチは、請求項４に記載の照光構造を備える押ボタンスイッチにおいて、前記導光板の前記一方面側に配置された押ボタンと、前記導光板の前記他方面側に配置された前記光源とを備え、前記押ボタンおよび前記導光板は、第１の位置と、前記第１の位置よりも前記光源に近い位置である第２の位置との間で一体的に移動可能に設けられ、前記レンズは、前記押ボタンおよび前記導光板が前記第１の位置に配置されている状態で、前記光源からの入射光が前記周辺部に集光されるように形成されていることを特徴としている（請求項５）。
【００２０】
このように構成された発明では、押ボタンおよび導光板は、第１の位置と、第１の位置よりも光源に近い位置である第２の位置との間で一体的に移動可能に設けられている。そして、押ボタンが押し込まれておらず、押ボタンおよび導光板が、光源からの距離が第２の位置よりも遠い第１の位置に配置されている状態では、導光板の他方面のほぼ中央に設けられた凹部の内側面に形成されたレンズにより光源からの入射光が周辺部に直接集光される。したがって、光源からの入射光が導光板の周辺部に集光されるので、導光板の周辺部における光量が増大する。
【００２１】
一方、押ボタンが押し込まれて、押ボタンおよび導光板が、光源からの距離が第１の位置よりも近い第２の位置に移動した状態では、光源と導光板との距離が近くなり、光源から導光板に入射される入射光の光量が増大する。しかしながら、光源からの入射光は、レンズによって導光板の周辺部に集光されないので、押ボタンおよび導光板が第１の位置に配置されている状態と比較すると、押ボタンの押し込みにより導光板の周辺部における光量が増大するのが抑制される。したがって、押ボタンが押し込まれていない状態と、押ボタンが押し込まれている状態との間で、照光面の明るさが変化するのを抑制することができる。
【発明の効果】
【００２２】
本発明によれば、導光板のほぼ中央と周辺部との間の所定位置に肉薄部が形成されることにより、導光板内の肉薄部との境界部分に形成される段差により肉薄部から離れる方向に入射光が全反射されて、導光板のほぼ中央から肉薄部が形成された方向に導光される入射光の光量が減少するので、照光面の周辺部に導光される入射光の該周辺部の所定位置における光量を調整することができる。
【図面の簡単な説明】
【００２３】
【図１】この発明の一実施形態にかかる押ボタンスイッチの断面図であって、押ボタンが押し込まれていない状態を示す図である。
【図２】図１の押ボタンスイッチの断面図であって、押ボタンが押し込まれた状態を示す図である。
【図３】図１の押ボタンスイッチが備える導光板の斜視図であって、（ａ）は表面側から見た図、（ｂ）は裏面側から見た図である。
【図４】図３の導光板の平面図である。
【図５】図３の導光板の裏面図である。
【図６】図３の導光板の側面図である。
【図７】図４のＡ−Ａ線における導光板の断面図である。
【図８】図４のＢ−Ｂ線における導光板の断面図である。
【図９】入射光の導光板内での平面視における光路を説明するための図である。
【図１０】図１の状態での導光板の縦断面における入射光の光路を説明するための図である。
【図１１】図１の状態での導光板の縦断面における入射光の光路を説明するための図である。
【図１２】図２の状態での導光板の縦断面における入射光の光路を説明するための図である。
【発明を実施するための形態】
【００２４】
この発明の一実施形態について図１〜図１２を参照して説明する。
【００２５】
（押ボタンスイッチの概略）
図１および図２を参照して押ボタンスイッチの概略について説明する。図１および図２はこの発明の一実施形態にかかる押ボタンスイッチの断面図であって、それぞれ押ボタンの押し込み前後における状態を示す図である。なお、図１および図２では、説明を容易なものとするため、本発明の説明に必要な構成のみが図示されており、その他の構成は図示省略されている。
【００２６】
図１および図２に示すように、押ボタンスイッチ１（本発明の「電気部品」に相当）は、スイッチ部２と、操作部３とを備えている。
【００２７】
スイッチ部２は、操作部３への操作に連動してオン、オフの状態が切り換わる開閉器（スイッチ）がその内部に配設されるスイッチ収納ケース２１を備え、スイッチ収納ケース２１は、操作部３の略円筒状の結合部２１ａに連結されている。また、スイッチ収納ケース２１の上部には、操作部３のフレーム部材２２が固定配置されている。また、フレーム部材２２の上端面のほぼ中央に開口２２ａが透設され、その上端部の外周面に沿ってフランジ部２２ｂが形成されている。
【００２８】
また、スイッチ部２は、その先端がスイッチ収納ケース２１内からフレーム部材２２の開口２２ａを介して操作部３側に突出するように配置された柱状体２３を備え、柱状体２３の先端部にＬＥＤ等の発光素子から成る光源２４が配設されている。また、スイッチ収納ケース２１の下面から、スイッチ収納ケース２１内に設けられた開閉器や光源２４を外部機器と接続するための接続端子２５が導出されている。なお、スイッチ部２の構成は、一般的な押ボタンスイッチが備えるものと同一であるため、その他の詳細な説明は省略する。
【００２９】
操作部３は、筒状のボタン収納ケース４と、透光性を有する樹脂材料により形成された平面視矩形状の押ボタン５とを備え、図１および図２に示すように、押ボタン５は、紙面に向かって上下方向に移動自在にボタン収納ケース４の内部空間に収納されている。ボタン収納ケース４は、平面視矩形状の筒状の上側部材４１と、平面視円形状の筒状の下側部材４２と、結合部２１ａとが一体形成されて構成されている。また、ボタン収納ケース４の下側部材４２の内周面の下寄りの位置に内側フランジ４３が形成されている。
【００３０】
押ボタン５は、その表面により照光面５ａが形成される平面視矩形状の平板部５１と、矩形の平板部５１の端縁が下方に延出されて当該平板部５１に一体形成された延出部５２とを備え、ボタン収納ケース４の上側部材４１内の空間に上下方向に移動自在に配設されている。また、平板部５１の裏面側の延出部５２に囲まれる空間に、平板部５１とほぼ同一の平面視形状を有する矩形状の導光板１０１を備える照光構造１００が配設されている。したがって、導光板１０１の表面（一方面）側に押ボタン５（照光面５ａ）が配置され、導光板１０１の裏面（他方面）側に光源２４が配置される。なお、照光構造１００の構成については後で詳細に説明する。
【００３１】
また、押ボタン５の裏面側である下方には、樹脂材料により形成されて押ボタン５の上下方向の移動に連動して移動する筒状の連動体６が配設されている。連動体６は、円形状の開口６ａを有する円筒部６１と、円筒部６１の上端側に一体形成され、その上端の開口６ｂの平面視形状が平板部５１とほぼ同一の矩形状である筒状の接続部６２とを備えている。接続部６２は、開口６ｂ側から円筒部６１側に向かって内側に傾斜する傾斜面を有するお椀状の断面形状を有し、接続部６２上端の矩形状の開口６ｂの端縁部６３が、押ボタン５の周縁に設けられた延出部５２の内側面と導光板１０１の外周面との間に形成される間隙に嵌挿されている。
【００３２】
また、連動体６（円筒部６１）の開口６ａ側の下端部に、樹脂材料により形成された略円筒状の押圧体７が結合されている。押圧体７の内側には、連動体６（円筒部６１）の下端面に当接する位置にばね受け板７１が設けられており、ばね受け板７１の略中央部分の柱状体２３が通る位置に切欠７１ａが形成されている。また、押圧体７の下端にその断面がフック状の外側フランジ７２が形成されており、外側フランジ７２は、ボタン収納ケース４の内側面に形成された内側フランジ４３の下側に配置される。
【００３３】
また、押圧体７のばね受け板７１の下面と、フレーム部材２２のフランジ部２２ｂとの間に、押ボタン５をスイッチ部２から離間させる方向に付勢力を有するコイルばね８が、その内側に柱状体２３が挿通された状態で配設されている。
【００３４】
したがって、押ボタン５がコイルばね８の付勢力よりも大きな力で押し込まれなければ、ばね受け板７１がコイルばね８により上方に付勢されることによって、押ボタン５、連動体６、押圧体７および導光板１０１（以下、「押ボタン部３１」と称する）は、押圧体７の下端に形成された外側フランジ７２の上面が、ボタン収納ケース４の内側面に形成された内側フランジ４３の下面に係止するまで一体的に上方に移動する。そして、押ボタン部３１は、押ボタン５が押し込まれていない状態であれば、図１に示す第１の位置にコイルばね８の付勢力により維持される。
【００３５】
一方、コイルばね８の付勢力に抗して押ボタン５が押し込まれることにより、押ボタン部３１は、連動体６の上側の接続部６２の外側面が、ボタン収納ケース４の上側部材４１および下側部材４２の連結部分に形成されたフランジ部４４に当接するまで一体的に下方に移動する。そして、押ボタン５が押し込まれることにより、押ボタン部３１は、第１の位置よりも光源２４に近い図２に示す第２の位置に移動する。そして、押ボタン５の押し込みが無くなると、押ボタン部３１は、コイルばね８の付勢力により第１の位置に復帰移動する。
【００３６】
また、スイッチ部２には、押ボタン部３１の第１の位置と第２の位置との間の往復移動に連動して上下方向に往復移動する可動部材（図示省略）が設けられている。可動部材にはスイッチ部２に設けられた開閉器の可動接点が連結されており、可動部材が上下方向に往復移動することによりスイッチ部２の開閉器の開閉状態が切り換わるように構成されている。したがって、押ボタン５を操作して押ボタン部３１を第１の位置と第２の位置との間で往復移動させることにより、スイッチ部２に設けられた開閉器の開閉状態を切り換えることができる。
【００３７】
（照光構造）
図３〜図８を参照しつつ図１および図２も参照して照光構造について説明する。図３は導光板の斜視図であって、（ａ）は表面側から見た図、（ｂ）は裏面側から見た図である。また、図４は図３の導光板の平面図、図５は図３の導光板の裏面図、図６は図３の導光板の側面図、図７は図４のＡ−Ａ線における導光板の断面図、図８は図４のＢ−Ｂ線における導光板の断面図である。
【００３８】
照光構造１００は、図１および図２に示すように、導光板１０１と、導光板１０１の表面（一方面）に設けられた遮光部材１０２とを備えている。
【００３９】
導光板１０１は、アクリル樹脂やポリアリレート樹脂など、透光性を有する部材により形成され、その表面側に照光面５ａ（押ボタン５）が設けられ、裏面側に配置される光源２４から該裏面のほぼ中央に入射される入射光をその側方の周辺部に導光するものである。また、導光板１０１は平面視矩形状を有している。また、導光板１０１の裏面は、そのほぼ中央が若干盛り上がり周辺部に向かってなだらかに下る丘陵状に形成されている。また、導光板１０１の矩形の各辺に対向する位置それぞれの裏面側の斜面に凹部１０３ａが形成されることにより、導光板１０１の矩形の各辺に対向する位置のそれぞれに肉薄部１０３が設けられている。
【００４０】
図５に示すように、各凹部１０３ａは、それぞれ、平面視二等辺三角形状に形成され、それぞれの底辺が導光板１０１の矩形の各辺に対向するように配置されている。したがって、導光板１０１内の肉薄部１０３との境界部分には、導光板１０１の中央位置から肉薄部１０３を見ると、各凹部１０３ａの等辺に沿って形成され、各凹部１０３ａの両側の矩形の隅部に向かう壁を有する段差１０４が形成される。
【００４１】
また、導光板１０１の表面には、該表面の周縁部を除く位置に平面視矩形状の凹部１０５が形成され、図１に示すように、平面視矩形状の遮光部材１０２が凹部１０５に配設されている。また、遮光部材１０２は、非透光性の部材により形成されその裏面に反射面１０２ａが設けられている。
【００４２】
また、導光板１０１の裏面のほぼ中央には、平面視円形状の凹部１０６が設けられている。また、凹部１０６の内側面に、光源２４からの入射光を導光板１０１の周辺部に集光するレンズ１０７が周方向に沿って形成されている。なお、この実施形態では、レンズ１０７は、押ボタン部３１が図１に示す第１の位置に配置されている状態で、光源２４からの入射光が導光板１０１の周辺部に集光されるように形成されている。
【００４３】
（光路について）
図９〜１２を参照して導光板内における入射光の光路について説明する。図９は入射光の導光板内での平面視における光路を説明するための図である。また、図１０および図１１それぞれは図１の状態での導光板の縦断面における入射光の光路を説明するための図、図１２は図２の状態での導光板の縦断面における入射光の光路を説明するための図である。なお、図１０および図１２は図４のＢ−Ｂ線における断面図、図１１は図４のＡ−Ａ線における断面図である。
【００４４】
導光板１０１は、その断面形状が中央部から周辺部に向うにつれて徐々に肉薄になる形状を有しているため、導光板１０１の裏面のほぼ中央に光源２４から入射される入射光は、導光板１０１内および遮光部材１０２の反射面１０２ａで全反射を繰り返すことにより導光板１０１側方の周辺部に導光されるが、光源２４からの光が入射される導光板１０１のほぼ中央と周辺部との間の裏面側の所定位置に凹部１０３ａが設けられることにより肉薄部１０３が形成されている。
【００４５】
具体的には、図９に示すように、光源２４からの光が入射される導光板１０１の裏面のほぼ中央からの距離が短い導光板１０の矩形の各辺に対向する位置のそれぞれに平面視二等辺三角形状の肉薄部１０３が設けられている。そのため、導光板１０１の裏面のほぼ中央に入射されて肉薄部１０３の方向に導光された入射光の一部は、同図中に矢印で示すように、導光板１０１内の各肉薄部１０３との境界部分に形成される各段差１０４により肉薄部１０３から離れて矩形の各隅部の方向に全反射されるので、導光板１０１の各肉薄部１０３の方向に導光される入射光の光量が減少する。したがって、導光板１０１側方の周辺部のうち、光源２４からの距離が短い導光板１０１の矩形の各辺近傍における光量が減少する。
【００４６】
また、導光板１０１内の各肉薄部１０３との境界部分に形成される各段差１０４により、各肉薄部１０３それぞれに向かって導光される入射光の一部が、導光板１０１の各肉薄部１０３の両側に位置する矩形の各隅部に向けて全反射されるので、導光板１０１側方の周辺部のうち、光源２４からの距離が長い各隅部における光量が増大する。
【００４７】
また、図１０に示すように、導光板１０１の肉薄部１０３が形成されていない対角線方向における縦断面において、押ボタン５が押し込まれておらず、押ボタン部３１が、光源２４からの距離が第２の位置よりも遠い第１の位置に配置されている状態では、同図中に矢印で示すように、導光板１０１の裏面のほぼ中央に設けられた凹部１０６の開口付近の内側面に全周に渡って形成されたレンズ１０７により光源２４からの入射光が導光板１０１の周辺部に直接集光される。したがって、光源２４からの入射光が導光板１０１の矩形の隅部付近に集光されるので、導光板１０１の周辺部における隅部付近の光量が増大する。
【００４８】
また、図１１に示すように、導光板１０１の肉薄部１０３が形成されている対向二辺に平行な縦断面において、押ボタン５が押し込まれておらず、押ボタン部３１が、光源２４からの距離が第２の位置よりも遠い第１の位置に配置されている状態であっても、同図中に矢印で示すように、導光板１０１の裏面のほぼ中央に設けられた凹部１０６の開口付近の内側面に全周に渡って形成されたレンズ１０７を介して導光板１０１内に入射された光源２４からの入射光の一部は、導光板１０１内の段差１０４により各肉薄部１０３の両側の矩形の隅部に向って反射される。したがって、導光板１０１側方の周辺部のうち、光源２４からの距離が短い導光板１０１の矩形の各辺近傍における光量が、レンズ１０７の集光効果により増大しすぎるのを抑制できる。
【００４９】
一方、図１２に示すように、導光板１０１の肉薄部１０３が形成されていない対角線方向における縦断面において、押ボタン５が押し込まれて、押ボタン部３１が、光源２４からの距離が第１の位置よりも近い第２の位置に移動した状態では、同図中に矢印で示すように、光源２４と導光板１０１との距離が近くなり、光源２４から導光板１０１に入射される入射光の光量が増大する。しかしながら、光源２４からの入射光は、レンズ１０７によって導光板１０１の周辺部に集光されないので、押ボタン部３１が第１の位置に配置されている状態と比較すると、押ボタン５の押し込みにより導光板１０１の周辺部における光量の増大が抑制される。
【００５０】
以上のように、上記した実施形態では、導光板１０１の裏面のほぼ中央に入射されて肉薄部１０３の方向に導光された入射光の一部は、導光板１０１内の肉薄部１０３との境界部分に形成される段差１０４により肉薄部１０３から離れる方向に全反射されるので、導光板１０１の肉薄部１０３の方向に導光される入射光の光量が減少する。したがって、導光板１０１のほぼ中央と周辺部との間の所定位置に肉薄部１０３が形成されることにより、導光板１０１のほぼ中央から肉薄部１０３が形成された方向に導光される入射光の光量が減少するので、押ボタン５の照光面５ａの周辺部に導光される入射光の該周辺部の所定位置における光量を調整することができる。
【００５１】
また、導光板１０１が平面視矩形状を有し、光源２４からの光が入射される導光板１０１の裏面のほぼ中央から周辺部への距離が導光板１０１の外周方向において異なる場合であっても、光源２４からの光が入射される導光板１０１の裏面のほぼ中央からの距離が短い導光板１０の矩形の各辺に対向する位置のそれぞれに肉薄部１０３が設けられることにより、導光板１０１側方の周辺部のうち、光源２４からの距離が短い導光板１０１の矩形の各辺近傍における光量が減少するので、矩形状の導光板１０１の周辺部に明暗が生じるのを軽減することができる。
【００５２】
また、導光板１０１の表面の周縁部を除く位置に遮光部材１０２が配設されているので、導光板１０１の裏面のほぼ中央に入射されて導光板１０１側方の周辺部に導光された入射光により、導光板１０１の表面側に設けられた押ボタン５の照光面５ａの外周部分をリング状に照光することができる。また、遮光部材１０２の裏面に反射面１０２ａが設けられているので、導光板１０１の表面において入射光が確実に全反射されて導光板１０１の周辺部に導光される入射光の光量が増大し、入射光を導光板１０１側方の周辺部に確実に導光することができる。
【００５３】
また、導光板１０１の裏面のほぼ中央に設けられた凹部１０６の開口付近の内側面に全周に渡って設けられたレンズ１０７により、光源２４からの入射光を導光板１０１の周辺部に効率よく集光することができる。
【００５４】
また、押ボタン５が押し込まれておらず、押ボタン部３１が、光源２４からの距離が第２の位置よりも遠い第１の位置に配置されている状態では、レンズ１０７により光源２４からの入射光が導光板１０１の周辺部に集光されるので、導光板１０１の周辺部における光量が増大する。一方、押ボタン５が押し込まれて、押ボタン部３１が、光源２４からの距離が第１の位置よりも近い第２の位置に移動した状態では、光源２４と導光板１０１との距離が近くなり、光源２４から導光板１０１に入射される入射光の光量が増大するが、入射光がレンズ１０７によって導光板１０１の周辺部に集光されないので、押ボタン５の押し込みにより導光板１０１の周辺部における光量が増大するのが抑制される。したがって、押ボタン５が押し込まれていない状態と、押ボタン５が押し込まれている状態との間で、押ボタン５の照光面５ａの明るさが変化するのを抑制することができる。
【００５５】
また、導光板１０１の裏面のほぼ中央に光源２４からの光が入射されればよく、従来のように、光源２４の直上に反射面が形成されている構成と比較すると、光源２４と導光板１０１との間で精密な位置合わせが不要であるので、照光構造１００を備える押ボタンスイッチ１（電子部品）を簡単に組み立てることができる。
【００５６】
なお、本発明は上記した実施形態に限定されるものではなく、その趣旨を逸脱しない限りにおいて上述したものに対して種々の変更を加えることが可能である。例えば、上記した実施形態では、本発明の照光構造を備える電気部品として押ボタンスイッチを例に挙げて説明したが、表示灯など、その他の電気部品が本発明の照光構造を備える構成としてもよい。
【００５７】
また、上記した実施形態では、導光板１０１の矩形の各辺それぞれに対向する位置に肉薄部１０３が設けられているが、肉薄部の数は少なくとも１つあればよく、使用目的に応じて適宜導光板の最適な位置に肉薄部が形成されていればよい。また、導光板の形状は上記した形状に限られるものではなく、平面視円形状や長方形状など、適宜、その形状を変更すればよい。
【００５８】
また、上記した実施形態では、導光板の裏面に設けられた凹部の内側面の全周に渡ってレンズが形成されているが、入射光を集光する必要がある方向にのみ当該凹部の内側面にレンズが形成されていてもよい。
【００５９】
また、遮光部材に文字や図形などの意匠が施されていてもよい。このようにすると、照光面に任意の文字や図形などを照光することができる。
【００６０】
また、押ボタンスイッチや表示灯などの電気部品の照光構造に本発明を広く適用することができる。
【符号の説明】
【００６１】
１…押ボタンスイッチ（電気部品）
２４…光源
５…押ボタン
５ａ…照光面
１００…照光構造
１０１…導光板
１０２…遮光部材
１０３…肉薄部
１０６…凹部
１０７…レンズ
【図１】
2014175159.tif 000003
【図２】
2014175159.tif 000004
【図３】
2014175159.tif 000005
【図４】
2014175159.tif 000006
【図５】
2014175159.tif 000007
【図６】
2014175159.tif 000008
【図７】
2014175159.tif 000009
【図８】
2014175159.tif 000010
【図９】
2014175159.tif 000011
【図１０】
2014175159.tif 000012
【図１１】
2014175159.tif 000013
【図１２】
2014175159.tif 000014